(57)【要約】【課題】防塵フィルタの着脱を容易にする。【解決手段】電子機器の筐体は、箱型であって内蔵物を露出する開口および通気を確保するための通気部を有するベース部と、前記開口を塞ぐカバー部と、前記ベース部に着脱可能であって前記通気部からの塵埃の進入を防ぐフィルタと、を備え、前記フィルタは、前記ベース部の内側から前記通気部に取り付けられるものであって、前記カバー部は、前記ベース部に取り付けられて前記開口を塞いだ状態で、前記フィルタの一部を前記ベース部との間に挟むことにより、前記フィルタを前記通気部に対して固定する。【選択図】図２
2020107818.tif 000002
【特許請求の範囲】
【請求項１】
箱型であって内蔵物を露出する開口および通気を確保するための通気部を有するベース部と、
前記開口を塞ぐカバー部と、
前記ベース部に着脱可能であって前記通気部からの塵埃の進入を防ぐフィルタと、
を備え、
前記フィルタは、前記ベース部の内側から前記通気部に取り付けられるものであって、
前記カバー部は、前記ベース部に取り付けられて前記開口を塞いだ状態で、前記フィルタの一部を前記ベース部との間に挟むことにより、前記フィルタを前記通気部に対して固定する
電子機器の筐体。
【請求項２】
前記カバー部は、前記開口を塞ぐように前記ベース部に取り付けられる際に、前記通気部を囲む板状の部材の厚さ方向である第１方向に沿って、前記フィルタを移動させる
請求項１に記載の電子機器の筐体。
【請求項３】
前記カバー部は、前記開口を塞ぐように前記ベース部に取り付けられる際に、前記通気部を囲む板状の部材の面に沿った方向である第２方向に沿って、前記フィルタを移動させ、
前記ベース部は、前記第２方向に移動後の前記フィルタの周縁部を保持する保持部を備える
請求項１に記載の電子機器の筐体。
【請求項４】
前記フィルタは、前記ベース部に取り付けられる際の前記カバー部から受ける前記第１方向の力の少なくとも一部を、所定の向きに傾斜した面を有するガイド部で受けることにより、前記通気部を囲む前記板状の部材の面に沿った方向である第２方向に移動する
請求項２に記載の電子機器の筐体。
【請求項５】
前記カバー部が前記ベース部の前記開口を塞ぐ位置にある状態で前記カバー部からの前記第１方向の力を受ける受け部と、前記ガイド部とが、一体的に、前記フィルタに設けられている
請求項４に記載の電子機器の筐体。
【請求項６】
前記カバー部が前記ベース部の前記開口を塞ぐ位置にある状態で前記カバー部からの前記第１方向の力を受ける受け部と、前記ガイド部とが、個々に、前記フィルタに設けられている
請求項４に記載の電子機器の筐体。
【発明の詳細な説明】
【技術分野】
【０００１】
本発明は、電子機器の筐体に関する。
【背景技術】
【０００２】
パーソナルコンピュータ（Personal  Computer、ＰＣ）などの電子機器には、筐体内部への塵埃の浸入を防ぐために、防塵フィルタを備えるものがある。そのような電子機器としては、例えば、基本的には２４時間稼働させ続けることを前提としたものがある。また、ＰＣは、近年は事務所のみならず倉庫などに設置されることも多くなってきたため、塵埃対策が施されていることが望ましい。
【０００３】
防塵フィルタは、電子機器の稼働中は、不用意に外れないよう、また、隙間なく密着するよう、取り付けられていなければならない。このため、従来、防塵フィルタは、ネジ等により固定されている。
【先行技術文献】
【特許文献】
【０００４】
【特許文献１】特開２０１０−７４１０４号公報
【特許文献２】実開昭５５−５２８９４号公報
【特許文献３】特開平６−１５０６４２号公報
【発明の概要】
【発明が解決しようとする課題】
【０００５】
しかしながら、ネジ止めであると、着脱が可能ではあるが煩雑であり、また、部品点数も多くなりがちであり、さらにはそれなりの作業スペースを要するなど、着脱性において良好であるとは言い難い。防塵フィルタは、メンテナンス時の清掃対象であるので、容易に着脱可能であることが望まれる。
【０００６】
そこで、本発明の課題の一つは、防塵フィルタの着脱を容易にすることである。
【課題を解決するための手段】
【０００７】
本発明の第１態様に係る電子機器の筐体は、箱型であって内蔵物を露出する開口および通気を確保するための通気部を有するベース部と、前記開口を塞ぐカバー部と、前記ベース部に着脱可能であって前記通気部からの塵埃の進入を防ぐフィルタと、を備え、前記フィルタは、前記ベース部の内側から前記通気部に取り付けられるものであって、前記カバー部は、前記ベース部に取り付けられて前記開口を塞いだ状態で、前記フィルタの一部を前記ベース部との間に挟むことにより、前記フィルタを前記通気部に対して固定する。
【０００８】
また、前記電子機器の筐体では、例えば、前記カバー部は、前記開口を塞ぐように前記ベース部に取り付けられる際に、前記通気部を囲む板状の部材の厚さ方向である第１方向に沿って、前記フィルタを移動させる。
【０００９】
また、前記電子機器の筐体では、例えば、前記カバー部は、前記開口を塞ぐように前記ベース部に取り付けられる際に、前記通気部を囲む板状の部材の面に沿った方向である第２方向に沿って、前記フィルタを移動させ、前記ベース部は、前記第２方向に移動後の前記フィルタの周縁部を保持する保持部を備える。
【００１０】
また、前記電子機器の筐体では、例えば、前記フィルタは、前記ベース部に取り付けられる際の前記カバー部から受ける前記第１方向の力の少なくとも一部を、所定の向きに傾斜した面を有するガイド部で受けることにより、前記通気部を囲む前記板状の部材の面に沿った方向である第２方向に移動する。
【００１１】
また、前記電子機器の筐体では、例えば、前記カバー部が前記ベース部の前記開口を塞ぐ位置にある状態で前記カバー部からの前記第１方向の力を受ける受け部と、前記ガイド部とが、一体的に、前記フィルタに設けられている。
【００１２】
また、前記電子機器の筐体では、例えば、前記カバー部が前記ベース部の前記開口を塞ぐ位置にある状態で前記カバー部からの前記第１方向の力を受ける受け部と、前記ガイド部とが、個々に、前記フィルタに設けられている。
【発明の効果】
【００１３】
本発明の上記態様によれば、防塵フィルタの着脱を容易にすることができる。
【図面の簡単な説明】
【００１４】
【図１】図１は、第１実施形態における筐体の外観を示す、正面側からの斜視図である。
【図２】図２は、カバー部をずらしてベース部の開口部から筐体の内部を露出させた状態を示す、背面側からの斜視図である。
【図３】図３は、カバー部の外観を示す斜視図である。
【図４】図４は、フィルタの外観を示す斜視図である。
【図５】図５は、被押圧部を拡大して示す斜視図である。
【図６】図６は、高さ基準部をＹＺ平面に沿った面で切断して示す、前面パネル、カバー部、および被押圧部の斜視図である。
【図７】図７は、奥行き基準部をＹＺ平面に沿った面で切断して示す、前面パネル、カバー部、および被押圧部の斜視図である。
【図８】図８は、前面パネル、カバー部、および被押圧部の断面図である。
【図９】図９は、保持部および引掛け片を拡大して示す斜視図である。
【図１０】図１０は、第２実施形態におけるフィルタの外観を示す斜視図である。
【図１１】図１１は、第１被押圧部の外観を拡大して示す斜視図である。
【図１２】図１２は、第２被押圧部の外観を拡大して示す斜視図である。
【図１３】図１３は、高さ基準部をＹＺ平面に沿った面で切断して示す、前面パネル、カバー部、および第１被押圧部の斜視図である。
【図１４】図１４は、奥行き基準部および孔をＹＺ平面に沿った面で切断して示す、前面パネル、カバー部、および第２被押圧部の斜視図である。
【図１５】図１５は、奥行き基準部（孔のない位置）をＹＺ平面に沿った面で切断して示す、前面パネル、カバー部、および第２被押圧部の斜視図である。
【図１６】図１６は、前面パネル、カバー部、および第１被押圧部の断面図である。
【図１７】図１７は、前面パネル、カバー部、および第２被押圧部の断面図である。
【発明を実施するための形態】
【００１５】
以下、本発明の実施形態を開示する。以下に示される実施形態の構成、ならびに当該構成によってもたらされる作用および効果は、一例である。以下の実施形態は本発明を限定するものではなく。本発明は以下の実施形態に開示される構成以外によっても実現可能である。また、本発明によれば、構成によって得られる種々の効果（派生的な効果も含む）のうち少なくとも一つを得ることが可能である。
【００１６】
また、以下の複数の実施形態には、同様の構成要素が含まれている。それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１７】
［第１実施形態］
第１実施形態について図１〜図９を参照して説明する。なお、説明の便宜上、図中に３軸（座標軸）を示す。Ｘ軸方向は、筐体１００の幅方向である。Ｙ軸方向は、筐体１００の奥行き方向（前後方向）である。Ｚ軸方向は、筐体１００の高さ方向（上下方向）である。
【００１８】
図１は、本実施形態における筐体１００の外観を示す、正面側からの斜視図である。筐体１００は、箱型のベース部１１０と、カバー部１２０とを備えている。図２は、背面側からの斜視図であって、カバー部１２０をずらしてベース部１１０の開口部１１１から筐体１００の内部を露出させた状態を示す。
【００１９】
筐体１００は、略直方体の形状を有している。ベース部１１０は、上面開放の箱型の容器であって、図２に示す開口部１１１を有する。カバー部１２０は、開口部１１１を塞ぐものであって、ベース部１１０に対して着脱自在である。カバー部１２０は、開口部１１１を塞ぐ位置において、ベース部１１０に対して、ネジ止めにより固定される。
【００２０】
また、ベース部１１０は、図１に示すように、前面パネル１１２の一部領域に、複数個の小さな孔が網状に配された通気部１１３を有している。筐体１００は、さらに、図２に示すように、通気部１１３の内側に、フィルタ１３０を備えている。
【００２１】
カバー部１２０は、略直方体の筐体１００を構成する６面のうちの最も広い１面の大部分を占める。つまり、カバー部１２０を取り外すことによって、筐体１００の最も広い１面が開放される。また、カバー部１２０は、開口部１１１を塞ぐ位置におけるカバー部１２０の面を奥行き方向に沿って後向きにスライド移動させることにより、開口部１１１を開閉する。
【００２２】
図３は、カバー部１２０の外観を示す斜視図である。カバー部１２０は、略長方形の部材である。カバー部１２０は、平面部１２１と、補強部１２２，１２３と、図２に示す補強部１２４，１２５とを有する。平面部１２１は、カバー部１２０の主たる部分であって、平らな板状の部分である。補強部１２２〜１２５は、平面部１２１の周りに、平面部１２１から連続して設けられ、平面部１２１に略直交する向きに折り曲げられている。
【００２３】
補強部１２３，１２４は、カバー部１２０が開口部１１１を閉じる過程でベース部１１０に対してスライド移動するとき、ベース部１１０の縁１１４と摺動する。補強部１２３，１２４の奥行き方向中央部には、引掛け突部１２６が設けられている。引掛け突部１２６は、補強部１２３，１２４から突出して設けられている。補強部１２３，１２４の突端は、筐体１００の前側に向かって伸びていて、補強部１２３，１２４との間に切欠き状の窪みを形成している。
【００２４】
このような引掛け突部１２６は、カバー部１２０が開口部１１１を閉じる過程で、縁１１４の奥行き方向中央部に設けられた落とし溝１１５に落ち込み、さらにカバー部１２０が移動すると、引掛け突部１２６の突端が、補強部１２３，１２４との間に、落とし溝１１５の縁を挟む。これにより、カバー部１２０の奥行き方向中央部において、ベース部１１０に対する高さ方向の位置が、固定される。
【００２５】
補強部１２２は、カバー部１２０が開口部１１１を塞ぐ位置にある状態で、前面パネル１１２の裏側に接する。前面パネル１１２の裏側からは、支持部１１６が、突出して設けられている。支持部１１６は、補強部１２２を下から支える。
【００２６】
前面パネル１１２は奥行き方向に厚みを有しているので、細い矩形の天面部１１２ａを有している。当該天面部１１２ａと支持部１１６とには段差が設けられていて、天面部１１２ａよりも支持部１１６の方が補強部１２２の高さ分だけ低い。
【００２７】
天面部１１２ａと支持部１１６との間には、複数の差込み孔１１７が設けられている。また、補強部１２２からは、複数の差込み片１２７が、前側に突出して設けられている。差込み片１２７と差込み孔１１７との位置は対応し、カバー部１２０が開口部１１１を塞ぐ際に差込み片１２７が差込み孔１１７に差し込まれる。
【００２８】
図４は、フィルタ１３０の外観を示す斜視図である。フィルタ１３０は、通気部１３１、枠部１３２、補強部１３３，１３４，１３５，１３６、回動支持部１３７、被押圧部１３８、引掛け片１３９を備えている。
【００２９】
通気部１３１は、フィルタ１３０の主たる構成であって、略矩形の平面状の形状を有し、空気中の塵埃などを濾しとる。枠部１３２は、通気部１３１の縁を保持する。補強部１３３〜１３６は、枠部１３２および通気部１３１の剛性を増すもので、枠部１３２の周りに、枠部１３２から連続して設けられ、枠部１３２および通気部１３１がなす平面に対して略直交する向きに折り曲げられている。
【００３０】
回動支持部１３７は、前面パネル１１２の裏側に設けられた支持部１１８（図２参照）に支持されることにより、フィルタ１３０の回動の支点として機能する。引掛け片１３９は、前面パネル１１２の裏側に設けられた保持部１１９（図２参照）に保持されることにより、フィルタ１３０の下部の位置を決定する。
【００３１】
被押圧部１３８は、差込み孔１１７を通った差込み片１２７の前端によって、前向き（第１方向、後述）および下向き（第２方向、後述）に押圧される。図５は、被押圧部１３８を拡大して示す斜視図である。
【００３２】
被押圧部１３８は、高さ基準部１３８ａ、ガイド部１３８ｂ、奥行き基準部１３８ｃ、孔１３８ｄを有している。高さ基準部１３８ａは、補強部１３３から後に向かって同じ高さで突出した平面部分である。ガイド部１３８ｂは、高さ基準部１３８ａから後斜め下向きに伸びた傾斜面の部分である。
【００３３】
奥行き基準部１３８ｃは、カバー部１２０がベース部１１０の開口部１１１を塞ぐ位置にある状態でカバー部１２０から第１方向の力を受ける受け部の一例である。ここで、第１方向は、前面パネル１１２における通気部１１３を囲む板状の部分の厚さ方向であって、すなわちＹ軸方向（奥行き方向、前後方向）である。奥行き基準部１３８ｃは、補強部１２２の前端によって、前向きに押圧される。
【００３４】
孔１３８ｄは、奥行き基準部１３８ｃを曲げ加工で起こす際に形成される。孔１３８ｄにより、高さ基準部１３８ａの弾性的な曲がりやすさが増す。
【００３５】
カバー部１２０が開口部１１１を閉じる位置にある状態での、前面パネル１１２とカバー部１２０と被押圧部１３８との位置関係を、図６〜図８に示す。図６は、高さ基準部１３８ａをＹＺ平面に沿った面で切断して示す、前面パネル１１２、カバー部１２０、および被押圧部１３８の斜視図である。図７は、奥行き基準部１３８ｃをＹＺ平面に沿った面で切断して示す、前面パネル１１２、カバー部１２０、および被押圧部１３８の斜視図である。図８は、前面パネル１１２、カバー部１２０、および被押圧部１３８の断面図である。
【００３６】
カバー部１２０が開口部１１１を開放した状態から閉じる位置に至るまでの、差込み片１２７と被押圧部１３８との相対移動をステップに分けて記すと、次のようになる。まず、カバー部１２０が開口部１１１を閉じるようにスライド移動されてくると、差込み片１２７が差込み孔１１７に入る（第１ステップ）。さらにカバー部１２０の移動が進むと、差込み片１２７の前端がガイド部１３８ｂに触れる（第２ステップ）。さらにカバー部１２０の移動が進むと、差込み片１２７の前端がガイド部１３８ｂの傾斜面沿いに移動して（第３ステップ）、高さ基準部１３８ａに乗り上げる（第４ステップ）。そしてさらにカバー部１２０が移動すると、差込み片１２７の前端が奥行き基準部１３８ｃに達する（第５ステップ）。
【００３７】
第３ステップでは、フィルタ１３０は、差込み片１２７および被押圧部１３８を介して、カバー部１２０により押圧されて、下向き（第２方向の一例）に、移動する。このとき、カバー部１２０の移動方向は後から前に向かう向きであるが、これにより受ける力を、ガイド部１３８ｂの傾斜面で受けることによって、力の一部を下向きに作用させることができる。
【００３８】
第５ステップでは、フィルタ１３０が、前面パネル１１２の裏側に圧接される。また、フィルタ１３０は、カバー部１２０による押圧を受ける前の高さから比べて、前面パネル１１２の面方向に沿って下向きに、所定距離だけ移動している。これにより、引掛け片１３９が前面パネル１１２の裏側の保持部１１９に保持される。
【００３９】
図９は、保持部１１９および引掛け片１３９を拡大して示す斜視図である。保持部１１９は、ＹＺ平面に沿って配された板状の部材であって、上向きに開放する溝１１９ａを有している。溝１１９ａの幅（ここではＹ軸方向の寸法）は、引掛け片１３９の厚さと略同等である。
【００４０】
引掛け片１３９は、補強部１３４からフィルタ１３０の面方向に沿って外向きに折り曲げられた板状の部材であって、下端部１３９ａが、上述の第５ステップで溝１１９ａに入り込む。これにより、フィルタ１３０の下部が、厚さ方向（Ｙ軸方向）に移動不可能に保持される。なお、引掛け片１３９は、溝１１９ａから引掛け片１３９を取り外す際の手掛りとして用いるための摘まみ部１３９ｂを、有している。
【００４１】
このような構成の本実施形態によれば、フィルタ１３０をネジ止めしなくとも、支持部１１８に回動支持部１３７を支持させて、カバー部１２０を閉じることによって、フィルタ１３０が所定の位置に押し当てられて固定される。したがって、フィルタ１３０を容易に着脱することができるので、メンテナンス時の煩雑さを軽減することができる。
【００４２】
また、本実施形態によれば、カバー部１２０は、前面パネル１１２の厚さ方向（第１方向、Ｙ軸方向）にフィルタ１３０を移動させるので、フィルタ１３０を前面パネル１１２の裏側に密着させることができる。このため、フィルタ１３０の周囲に隙間ができにくいので、フィルタ１３０による防塵効果を十分に発揮させることができる。
【００４３】
また、本実施形態によれば、カバー部１２０は、前面パネル１１２の面に沿った方向（第２方向の一例、下向き）にフィルタ１３０を移動させ、当該移動後のフィルタ１３０を保持部１１９が保持するので、フィルタ１３０は保持部１１９によっても位置固定され、位置ずれしにくい。
【００４４】
また、本実施形態によれば、フィルタ１３０は、カバー部１２０の押圧をガイド部１３８ｂの傾斜面で受けることにより、前方（第１方向）と前面パネル１１２の面方向（第２方向）が合成された斜め前方へ移動させることができる。
【００４５】
［第２実施形態］
次に、第２実施形態について、図１０〜図１７を参照して説明する。なお、本実施形態は前実施形態の変形例であるので、前実施形態と同様の箇所には同じ符号を用い、詳細な説明を省略する。
【００４６】
図１０は、本実施形態のフィルタ１３０Ａの外観を示す斜視図である。フィルタ１３０Ａは、前実施形態の被押圧部１３８に代えて、第１被押圧部１３８１と、第２被押圧部１３８２とを備えている。第１被押圧部１３８１は、補強部１３３の幅方向中央部に設けられ、第２被押圧部１３８２は、補強部１３３における第１被押圧部１３８１を挟む２箇所に設けられている。
【００４７】
図１１は、第１被押圧部１３８１の外観を拡大して示す斜視図である。第１被押圧部１３８１は、高さ基準部１３８ａおよびガイド部１３８ｂを有している。
【００４８】
図１２は、第２被押圧部１３８２の外観を拡大して示す斜視図である。第２被押圧部１３８２は、奥行き基準部１３８ｃ、孔１３８ｄを有している。
【００４９】
図１３は、高さ基準部１３８ａをＹＺ平面に沿った面で切断して示す、前面パネル１１２、カバー部１２０、および第１被押圧部１３８１の斜視図である。図１４は、奥行き基準部１３８ｃおよび孔１３８ｄをＹＺ平面に沿った面で切断して示す、前面パネル１１２、カバー部１２０、および第２被押圧部１３８２の斜視図である。図１５は、奥行き基準部１３８ｃ（孔１３８ｄのない位置）をＹＺ平面に沿った面で切断して示す、前面パネル１１２、カバー部１２０、および第２被押圧部１３８２の斜視図である。
【００５０】
図１６は、前面パネル１１２、カバー部１２０、および第１被押圧部１３８１の断面図である。図１７は、前面パネル１１２、カバー部１２０、および第２被押圧部１３８２の断面図である。
【００５１】
カバー部１２０が開口部１１１を開放した状態から閉じる位置に至るまでの、差込み片１２７と第１被押圧部１３８１および第２被押圧部１３８２との相対移動をステップに分けて記すと、次のようになる。
【００５２】
まず、カバー部１２０が開口部１１１を閉じるようにスライド移動されてくると、差込み片１２７が差込み孔１１７に入る（第１ステップ）。さらにカバー部１２０の移動が進むと、差込み片１２７の前端がガイド部１３８ｂに触れる（第２ステップ）。さらにカバー部１２０の移動が進むと、差込み片１２７の前端がガイド部１３８ｂの傾斜面沿いに移動して（第３ステップ）、高さ基準部１３８ａに乗り上げる（第４ステップ）。そしてさらにカバー部１２０が移動すると、差込み片１２７の前端が奥行き基準部１３８ｃに達する（第５ステップ）。
【００５３】
第３ステップでは、フィルタ１３０は、差込み片１２７および第１被押圧部１３８１を介して、カバー部１２０により押圧されて、下向き（第２方向の一例）に、移動する。このとき、カバー部１２０の移動方向は後から前に向かう向きであるが、これにより受ける力を、ガイド部１３８ｂの傾斜面で受けることによって、力の一部を下向きに作用させることができる。
【００５４】
第５ステップでは、フィルタ１３０が、前面パネル１１２の裏側に圧接される。また、フィルタ１３０は、カバー部１２０による押圧を受ける前の高さから比べて、前面パネル１１２の面方向に沿って下向きに、所定距離だけ移動している。これにより、引掛け片１３９が前面パネル１１２の裏側の保持部１１９に保持される。
【００５５】
以上のように、本実施形態では、第１実施形態の被押圧部１３８が有する機能を、第１被押圧部１３８１および第２被押圧部１３８２の２種類の被押圧部に分けて備えさせたので、被押圧部の形状を第１実施形態のものに比べて、複雑さを抑えた形状とすることができる。また、Ｚ軸方向の位置決めとＹ軸方向の位置決めとを、別々の被押圧部に行わせることにより、各々の位置決めの目的を達成しやすい。
【００５６】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００５７】
１００…筐体、１１０…ベース部、１１１…開口部（開口）、１１３…通気部、１１９…保持部、１２０…カバー部、１３０…フィルタ、１３８ｂ…ガイド部、１３８ｃ…奥行き基準部（受け部）、１３０Ａ…フィルタ、１３８１…第１被押圧部、１３８２…第２被押圧部。
【図１】
2020107818.tif 000003
【図２】
2020107818.tif 000004
【図３】
2020107818.tif 000005
【図４】
2020107818.tif 000006
【図５】
2020107818.tif 000007
【図６】
2020107818.tif 000008
【図７】
2020107818.tif 000009
【図８】
2020107818.tif 000010
【図９】
2020107818.tif 000011
【図１０】
2020107818.tif 000012
【図１１】
2020107818.tif 000013
【図１２】
2020107818.tif 000014
【図１３】
2020107818.tif 000015
【図１４】
2020107818.tif 000016
【図１５】
2020107818.tif 000017
【図１６】
2020107818.tif 000018
【図１７】
2020107818.tif 000019